(57)【要約】【課題】商品価格を値下げ変更した場合に、個々の商品に貼付するための値下げ価格をラベルにバーコード印字すると共に、これらの旧価格及び値下げ価格を記憶して商品分類毎に価格変更の集計リストを発行する。【解決手段】本発明は、商品価格等の商品情報をバーコード印字するラベルプリンタにおいて、商品の旧価格を入力するスキャナ等の商品情報手段と商品価格の値下げに関する変更情報を入力するキーボード等の価格変更情報入力手段とを設けると共に、新価格作成手段において上記両入力手段にて入力されたデータに基づき値下げ価格を作成し、更に、旧価格データと値下げ価格データとをそれぞれ記憶装置に記憶させて、操作者の指示により商品分類毎に価格変更の集計リストをラベル用紙を用いて発行し得るように構成した。【選択図】        図９
2004351690.tif 000002
【特許請求の範囲】
【請求項１】
帯状台紙に多数のラベルが連成されてなる帯状ラベル連続体の上記ラベルに、商品価格等に関する商品情報を印字機構を介してバーコード印字するラベルプリンタにおいて、中央処理装置と、該中央処理装置に接続されて商品の種別情報と商品の価格情報とを入力するための商品情報入力手段と、該商品情報入力手段から入力された第１の価格情報を記憶するための第１の記憶手段と、上記中央処理装置に接続され上記第１の価格情報の値下げに関する変更情報を入力するための価格変更情報入力手段と、該価格変更情報入力手段より入力された変更情報に基づき上記第１の価格情報を変更して第２の価格情報を作成する新価格作成手段と、該新価格作成手段により作成された上記第２の価格情報を記憶するための第２の記憶手段と、上記第２の価格情報に基づき新たな商品情報を作成する新商品情報作成手段と、該新商品情報作成手段により作成された新商品情報を上記印字機構に出力する出力手段と、上記第１及び第２の価格情報を商品分類毎に集計した集計リストを発行する手段とを備えたことを特徴とするラベルプリンタ。
【発明の詳細な説明】
【０００１】
【発明の属する技術分野】
本発明は、ラベルに商品価格等の商品情報をバーコード印字するラベルプリンタの改良に係り、特に食品ＰＯＳシステムにおいて商品価格を値下げ変更した場合に、この値下げ新価格をバーコード印字すると共に、変更前の旧価格と変更後の新価格に関するデータを記憶して、商品分類毎に集計した集計リストを発行することが可能なラベルプリンタに関する。
【０００２】
【従来の技術】
一般に、スーパーマーケットでは、生鮮食品及び日配品等の各部門において昼から夜にかけてタイムセールス（時間帯別値引き販売）が行われており、値下げ価格に対する対応は商品のパッケージやラベルに新価格を手書きして行っている。また、価格変更を行うラベルプリンタとして特許文献１、特許文献２が知られている。
【０００３】
【特許文献１】
特開昭６１−２７４２２７号公報
【特許文献２】
特開昭６３−１１６２９４号公報
【０００４】
【発明が解決しようとする課題】
しかしながら、値下げした商品の売上情報は、オペレータがレジでいちいちキーボードより手入力する必要があり、特に顧客で混雑する夕方には、打ち間違いが多発していた。
【０００５】
また、スーパーマーケットのバックヤードでは、商品の値下げに伴い売価変更用の売価変更伝票の処理作業の必要性が生じ、作業の煩雑化や伝票の記載ミスが生じていた。
【０００６】
更に、スーパーマーケットでは、各担当者に１日の値下げ予算が割り当てられ、その予算に応じて値下げを行い商品を販売して行くシステムを採用しているところもあり、この様な場合、値下げ金額を抑えようとすると販売チャンスを逃がし商品を滞留させてしまう原因となり、また頻繁な値下げは利益減になるため、値下げ商品に関しては、値引き予算を常時考慮した商品管理を行うことが要請されていた。。
【０００７】
本発明は斯かる実情に鑑みてなされたもので、商品価格を値下げ変更した場合に、この値下げ新価格を商品に貼付するラベルにバーコード印字すると共に、変更前の旧価格と変更後の新価格に関するデータを記憶して、商品分類毎に価格変更の集計リストを発行し得るように構成したラベルプリンタを提供する事を目的とする。
【０００８】
【課題を解決するための手段】
本発明は上記目的を達成するために、帯状台紙に多数のラベルが連成されてなる帯状ラベル連続体の上記ラベルに、商品価格等に関する商品情報を印字機構を介してバーコード印字するラベルプリンタにおいて、中央処理装置と、該中央処理装置に接続されて商品の種別情報と商品の価格情報とを入力するための商品情報入力手段と、該商品情報入力手段から入力された第１の価格情報を記憶するための第１の記憶手段と、上記中央処理装置に接続され上記第１の価格情報の値下げに関する変更情報を入力するための価格変更情報入力手段と、該価格変更情報入力手段より入力された変更情報に基づき上記第１の価格情報を変更して第２の価格情報を作成する新価格作成手段と、該新価格作成手段により作成された上記第２の価格情報を記憶するための第２の記憶手段と、上記第２の価格情報に基づき新たな商品情報を作成する新商品情報作成手段と、該新商品情報作成手段により作成された新商品情報を上記印字機構に出力する出力手段と、上記第１及び第２の価格情報を商品分類毎に集計した集計リストを発行する手段とを備えたことを特徴としている。
【０００９】
上記構成によれば、商品の旧価格としての第１の価格情報と、値下げ価格としての第２の価格情報とを記憶させておくことができると共に、第１及び第２の価格情報を商品分類毎に集計した集計リストを発行可能としたから、売価変更伝票の処理作業時に、伝票への値下げ金額の記入、集計作業が不要となり、記入や集計のミスが解消され、作業の簡素化を図ることができる。
【００１０】
【発明の実施の形態】
以下に本発明の好ましい実施の形態を図１ないし図１３に基づいて説明する。図１は、本実施形態に係るラベルプリンタの外観斜示図であり、（Ａ）は正面側、（Ｂ）は背面側から見た状態を示している。図中１は、ラベルプリンタ本体で、その上部にはＬＣＤ（液晶表示装置）よりなる表示部２と、キーボードよりなる操作部３とが設けられている。表示部２は、オペレータによる操作部３の入力操作によって所定の信号が後述する制御部４に送られ、制御部４の所定の指令信号によって商品コード、商品価格、オペレータへの操作指令等が表示されるものである。
【００１１】
操作部３は、価格変更情報入力手段としての機能を果たすもので、図２に示されるように、数字０〜９を含み、価格データや数値データなどを置数するための数字キー５と、各種打ち込みデータの設定及び格納をするための登録キー６と、打ち込みデータの伝送モードへの移行をさせるための伝送キー７（機能１キーに割り当て）と、一連の業務処理のメニュー画面への移送を示す設定キー８と、各種の業務実行中において表示部２に前画面を呼び出すための呼出キー９と、表示部２に所定の画面を選択した場合及び数字の入力時にカーソルを左右にシフトさせるための左シフトキー１０及び右シフトキー１１と、ラベル２３を印字することなく空送りするための紙送りキー１２と、ラベル２３を印字発行するための発行キー１３と、表示部２における表示画面を初期化するためのクリアキー１４と、その他各種のファンクションキーが配置されている。
【００１２】
また、ラベルプリンタ本体１の側部には、図１（Ｂ）に示すように、商品情報入力手段としてのスキャナ１５が着脱自在に取り付けられるスキャナ取り付け部１６と、図示しないホストコンピユータに所定のデータを伝送するためのケーブルが着脱自在に取り付けられるＲＳ２３２Ｃを有する外部機器接続部１７が設けられている。なお、１８はラベルプリンタ本体１の前部に設けられたラベル発行口、１９は電源スイッチである。
【００１３】
また、ラベルプリンタ本体１の内部には、印字機構２０が設けられており、この印字機構２０を、図３に基づき説明する。まず、２１は、帯状台紙２２に所定の大きさのラベル２３を剥離可能に連成してなるロール状ラベル連続体であり、このロール状ラベル連続体２１は、ラベルプリンタ本体１の所定位置に回転可能に保持されていると共に、その先端部は、サーマルヘッド２４とプラテン２５間、剥離ピン２６、一対の回転ローラ２７を介して巻き取り部（図示せず）に巻取られる様になっている。そして、図示しない駆動モータの駆動によりラベル連続体が矢印方向に移送され、この移送に伴いサーマルヘッド２４とプラテン２５間でラベル２３に所望のバーコード印字が施され、この印字の施されたラベル２３は剥離ピン２６にて帯状台紙２２より剥離されて、前記ラベルプリンタ本体１の前部に設けたラベル発行口１８より一枚ずつラベル発行されるようになっている。
【００１４】
次に、図４は、本発明の要部をなすラベルプリンタの制御部４を示すブロック図である。同図において、２８は制御部４本体を構成する中央処理装置（ＣＰＵ）であって、このＣＰＵ２８は、バスライン２９を介して表示部２、操作部３、ＲＯＭ３０（リードオンリーメモリ）、ＲＡＭ３１（ランダムアクセスメモリ）、スキャナ制御部３２、伝送制御部３３、印字機構制御部３４にそれぞれ接続されて、各表示部２、操作部３、ＲＯＭ３０、ＲＡＭ３１、スキャナ制御部３２、伝送制御部３３、印字機構制御部３４をそれぞれ制御するようになっている。なお、前記スキャナ制御部３２には、ラベルのバーコードを読み取るためのスキャナ１５が前記スキャナ取り付け部１６を介して着脱自在に取り付けられている。
【００１５】
また、前記伝送制御部３３には、前記外部機器接続部１７が接続されており、前記印字機構制御部３４には、前記印字機構２０が接続されている。
前記ＲＯＭ３０は、各部を制御するためのメイン処理プログラムが格納されたメイン処理プログラムメモリ３５と、前記スキャナ１５より読み取ったバーコードデータを解析処理するための読み取りプログラムの格納された読み取りプログラムメモリ３６と、印字機構制御部３４を介して印字機構２０の印字動作を制御するための印字制御プログラムの格納された印字制御プログラムメモリ３７と、アップロード用の伝送データを基に所定の伝送データを作成すると共に伝送制御を行う通信プログラムの格納された通信プログラムメモリ３８と、から構成されている。
【００１６】
前記ＲＡＭ３１には、表示部２に表示されるデータを格納するための表示メモリ３９と、スキャナ１５より読み取ったバーコードデータを格納するための読み取りメモリ４０と、スキャナ１５より読み取ったバーコードデータにおける商品の旧価格データを格納するための旧価格メモリ４１と、操作部３より入力された値下げ処理区分に関するデータを格納するための値下げ区分メモリ４２と、操作部３から入力された商品の値下げ処理区分に関する演算論理式を記憶するための演算論理レジスタ４７と、前記旧価格メモリ４１の旧価格データと値下げ区分メモリ４２の値下げ処理区分に関するデータとに基づき演算処理を行い商品の新価格を算出するために使用される演算ワークメモリ４３と、演算結果メモリ４４における演算結果、即ち商品の新価格を格納するための演算結果メモリ４４と、演算結果メモリ４４の新価格データが転送されて新価格を有する商品情報のバーコードデータが生成されるバーコード生成メモリ４５と、バーコード生成メモリ４５中の新価格商品情報を有するバーコードデータを印字機構制御部３４に転送する際に、前記新価格商品情報を有するバーコードデータを一時的に記憶する印字データバッファ４８と、ストアコントローラ、ワークステーション等のホストコンピユータに伝送するデータを格納するための伝送データメモリ４６と、が設けられている。
【００１７】
図５は、値下処理をされる前の商品に貼付されたラベル２３ａを示すものであり、このラベル２３ａにはＪＡＮ、ＮＯＮ−ＰＬＵの１３桁で表示された商品コード、商品価格等の商品データがバーコードで表示されると共に、その商品の価格が８００円である旨の表示が人間に可読な文字で表示されている（なお、図示はしないが、以下の説明中では値下処理前の商品ラベル２３ａがＪＡＮ、ＰＬＵの場合もあり得る）。
【００１８】
図６は本実施形態のラベルプリンタにより発行された値下処理後のラベル２３ｂを示し、このラベル２３ｂにはＪＡＮ、ＮＯＮ−ＰＬＵの１３桁で表示された商品コード、新商品価格等の商品データがバーコードで表示されると共に、その商品の新価格が７２０円である旨の表示が人間に可読な文字で表示されている。図７は本実施形態のラベルプリンタにより発行された値下処理後のラベル２３ｃを示し、このラベル２３ｃにはＣＯＤＥ１２８で表示された商品コード、新商品価格等の商品データがバーコードで表示されると共に、その商品の新価格が７２０円である旨の表示が人間に可読な文字で表示されている。このＣＯＤＥ１２８ラベル２３ｃは、後述するように値引き前の商品に付されたバーコードがＰＬＵの場合に発行されるもので、そのバーコード構成は、元の商品に付されたバーコードに値下げ価格等を含ませたものである。
【００１９】
次に、本実施形態にかかるラベルプリンタの値下げラベル発行処理操作について図８、９に基づき説明する。なお、図８は値下げラベル発行処理に関わる装置のブロック図、図９は操作に関わるフロー図である。
【００２０】
まず、プリンタ本体１の電源を投入すると、ＣＰＵ２８がＲＯＭ３０のメイン処理プログラムに従い処理を行なうと共に、図９のステップ１（図中「Ｓ１」と略記する。以下、同様）で表示メモリ３９に値下げ処理区分に関するデータが格納されて表示部２に表示される。
【００２１】
オペレータは、ステップ２で操作部３におけるキー入力操作により所望の値下げ処理区分業務の選択を行う。値下げ処理区分業務としては、旧価格より一定の金額を値下げする定額値下げ、旧価格より一定の率を値下げする％値下げ、旧価格に対し新たな値下げ価格を設定する新価格値下げ等がある。なお、商品の値下げ処理そのものではないが、商品を廃棄処分する場合があり、この商品廃棄も本発明でいう商品の値下げ処理区分業務に含まれるものとする。なお、本実施例では、オペレータが定額値下げを選択したものとして以下説明をする。この定額値下げを選択すると、そのデータはＲＡＭ３１の値下げ区分メモリ４２に格納されると共にデータの解析処理がなされてデータ伝送メモリ４６に転送される。
【００２２】
次に、ステップ３で操作部３の数字キー５等を操作して、所望の定額値下げ金額、本実施の形態では８０円を入力すると、このデータは、定額値下げの演算式として演算論理レジスタ４７に格納される。
【００２３】
次いで、ステップ４でスキャナ１５を用いて図５に示されるラベル２３ａのバーコードをスキャンすると、スキャナ１５で読み取られたバーコードデータは、ＲＯＭ３０の読み取りデータプログラムに従い解析され、ＲＡＭ３１の読み取りメモリ４０に格納される。前記解析処理では、バーコードがＰＬＵ方式か否かを判定する（例えば、ＪＡＮ、ＰＬＵ方式では先頭が国コードであるから、日本の国コード４５，４９であるか否かを判定する；ステップ５）。そして、「ＹＥＳ」の場合は表示部２にメッセージを表示する等してオペレータに元売価の入力を促す。ステップ６でオペレータが元売価を操作部３の数字キー５等を操作して入力する。この元売価は、前記読み取りメモリ４０のバーコードデータにおける商品の旧価格データとしてＲＡＭ３１の旧価格メモリ４１に格納される。
【００２４】
次いで、この旧価格データは、演算ワークメモリ４３において、演算論理レジスタ４７の定額値下げ演算式と共に演算処理されて値下げした新価格データが作成される（ステップ７）。本実施の形態では、旧価格８００円より８０円値下げした７２０円の新価格データである。
【００２５】
この新価格データは、ステップ８で演算結果メモリ４４に格納されると共にバーコード生成メモリ４５に転送され、このバーコード生成メモリ４５にて商品コードデータ等が付されて新価格商品のバーコードデータがＣＯＤＥ１２８で生成される（ステップ８）。
【００２６】
この新価格商品のバーコードデータは、印字データバッファ４８に転送され、オペレータが所定の印字発行枚数を指定した上で（ステップ９）、操作部３の発行キー１３を押し下げると、発行枚数のデータが印字データバッファ４８にセットされると共に、この印字データバッファ４８のデータは、ＲＯＭ３０の印字制御プログラムに従い印字制御部を介して印字機構２０に出力され、ラベルへ２３のバーコード印字が行われて、図７に示す様な、値下げされた新価格７２０円を表示するラベル２３ｃが所定枚数発行される（ステップ１０）。こうして発行されたバーコードラベルは、ＣＯＤＥ１２８の特性として、最も大量の文字数字を記号化できるバーコードであるため、元のＰＬＵコードに含まれた商品情報と、値引き新価格情報を共に含ませることができる。一方、前記ステップ５の処理で、バーコードがＰＬＵ方式でない（「ＮＯ」）の場合は、スキャナ１５で読み取られたバーコードデータは、商品の旧価格データとしてＲＡＭ３１の旧価格メモリ４１に格納される。
【００２７】
次いで、この旧価格データは、演算ワークメモリ４３において、演算論理レジスタ４７の定額値下げ演算式と共に演算処理されて値下げした新価格データが作成される（ステップ１１）。
【００２８】
この新価格データは、演算結果メモリ４４に格納されると共にバーコード生成メモリ４５に転送され、このバーコード生成メモリ４５にて商品コードデータ等が付されて新価格商品のバーコードデータがＪＡＮ、ＮＯＮ−ＰＬＵ方式で生成される（ステップ１２）。この新価格商品のバーコードデータは、印字データバッファ４８に転送され、前述のステップ９に合流する。但し、この場合に印字発行されるのは図６、２３ｂに示す如きＪＡＮ、ＮＯＮ−ＰＬＵ方式のバーコードラベルである。
【００２９】
以上のステップ５〜１２、９、１０を経て発行されたバーコードラベルは、元のバーコードラベルと比較して商品コードや商品分類はそのままで、価格が変更されているだけなのでＪＡＮ、ＮＯＮ−ＰＬＵ方式の桁数で十分である。そして、前述のＣＯＤＥ１２８の場合も、ＪＡＮ、ＮＯＮ−ＰＬＵ方式の場合も、元のバーコード中に存在した価格以外の必要な情報を含んでいるので、新しいラベルは元のラベルの上に重ねて貼れば良く、精算レジで新しいラベルのみをスキャナ読み取りすればよい。
【００３０】
図９中のステップ１３〜１６は本実施の形態の特徴部分である値引き処理に関する商品分類毎の集計リストを発行する行程である。
【００３１】
この行程では、値引きラベルを発行したのと同一のラベル用紙を用いて中分類ラベル５０（図１２）と、大分類ラベル５４（図１３）の二種類の集計リストを発行する。
【００３２】
中分類ラベル５０の図中左端の縦列「０１，０５，１５，…」は商品の中分類コード５１を示す。該中分類コード５１は二桁の数字からなり、後述する大分類コード５７の下位に設けられている。例えは、大分類コード５７が「精肉」とした場合の、鶏肉、豚肉、牛肉、羊肉、…等の分類が挙げられる。
【００３３】
中分類ラベル５０の中央縦列の数字「８，１６８，１２，…」は値引き処理をする商品の数量（個数）５２を示している。
中分類ラベル５０の右端縦列の数字「８０００，１６８０００，…」は値引き額（小計）５３を表す数字であり、左側の数量５２と各中分類５１の商品の値引き金額をかけた値である。
【００３４】
図１３の大分類ラベル５４の最上行には日付５５と値下区分５６が印字されるようになっている。日付５６は例えば西暦下２桁月２桁日２桁であり、各桁先頭が０の場合はスペースに変換して印字される。
値下区分５６は廃棄処理の場合にのみ印字され、定額、％引き、新価格の場合には何も印字されない。
大分類ラベル５４の上位二行目は大分類コード５７（「０３」の表記）と、値引処理した中分類商品の数量（前記中分類ラベル５０の中央縦列の合計）５８（「９３０８」の表記）が記録されている。
５９は旧価格の見出しであり、右側の数値「４５００００」は旧価格の合計額６０を示している。
６１は新価格の見出しであり、右側の数値「１７９８００」は新価格の合計額６２を示している。
６３は値引き額（合計）の見出しであり、右側の数値「２７０２００」は値引き額の合計６４を示している。
【００３５】
図９のステップ１３は値引きラベルの発行を終了するか否かを決定するステップであり、続けて新たな商品の値引きラベルを発行する場合（Ｎ）ならばステップ１にリターンし、もう値引きラベルの発行をしない場合（Ｙ）はステップ１５に移り、上述した中分類ラベル５０（集計リスト）を発行する。一枚のラベルで足らない場合は連続した複数枚のラベルに印字する。そして、中分類ラベル５０の印字が終わったら、続けて大分類ラベル５４を発行する。
以上のステップ１３はキー操作によるものであってもよいし、ラベルプリンタの初期設定項目可能なプリンタの動作モードとしてもよい。
【００３６】
次に、前記演算結果メモリ４４の新価格データは、伝送データメモリ４６に転送される。この伝送データメモリ４６では、旧価格メモリ４１より転送される旧価格データと、バー種別解析処理を介して読み取りメモリ４０より転送される読み取りバーコードデータと、印字データバッファ４８より転送される印字発行枚数に関するデータと、値下げ区分メモリ４２より転送される値下げ区分データとに基づき、ＲＯＭ３０の通信プログラムに従ってＳＴＸ、ＥＴＸ，ＢＣＣが付加されてアップロード用の伝送データが作成される。なお、図１０は、値下げ処理１件分の伝送データの構成を示す概念図である。
【００３７】
図１０における値下げ区分の欄には定額値下げ、％値下げ、新価格値下げ等を区別するためのデータが、バー種別の欄にはＮＯＮ−ＰＬＵ，ＰＬＵ等のバーコードの種類を区別するためのデータが、読み取りバーコードの欄にはスキャナ１５より読み取った旧価格の商品のバーコードのデータが、旧価格の欄には旧価格メモリ４１より転送された旧価格に関するデータが、新価格の欄には、演算結果メモリ４４より転送された新価格に関するデータが、発行枚数の欄には印字データバッファ４８を介して転送されたラベル発行枚数に関するデータが、それぞれ所定の形式で記載されている。
【００３８】
なお、ＳＴＸの欄は、ＳＴＡＲＴＯＦＴＥＸＴ、ＥＴＸの欄は、ＥＮＤＯＦＴＥＸＴ、ＢＣＣの欄は、ＢＬＯＣＫＣＨＥＣＫＣＨＡＲＡＣＴＥＲを示し、大分類、中分類の欄には、値引き対象となる商品の大分類、中分類を表す２桁のコードデータが記載されている。
【００３９】
次に、前記ラベルプリンタにおける、データの伝送操作について図１１に示すフローチャートに基づいて説明する。
まず、オペレータが電源を投入すると（ステップ２１）、ＣＰＵ２８はＲＡＭ３１の伝送データメモリ４６をチェツクして、伝送データメモリ４６中に伝送すべきデータ、即ち電源投入前に値下げ処理をしたデータが格納されているか否かを判断する（ステップ２２）。ステップ２２において、伝送データが格納されている場合には、ステップ２３に移り、ＣＰＵ２８は表示部２に「伝送して下さい」というメッセージを表示して、オペレータに伝送すべき伝送データが格納されていることを知らせ、スッテプ２４の処理に移る。
【００４０】
ステップ２４では、前記伝送データをホストコンピユータに伝送するか否かの確認メッセージが表示部２に表示され、オペレータが「伝送する」を選択すると、スッテプ２５において伝送データメモリ４６中の所定の伝送データが伝送制御部３３を介してホストコンピユータに伝送される。
【００４１】
また、前記ステップ２２において、ＣＰＵ２８が伝送データメモリ４６に伝送データが格納されていないと判断した場合には、ステップ２６に移る。ステップ２６では、上述した値下げラベル発行処理業務が行われる。そして、値下げラベル発行業務の終了後、オペレータがステップ２７で伝送キー７を押し下げると、スッテプ２３の処理に移行し、次いでステップ２４、スッテプ２５を順次介して伝送データメモリ４６中のデータの伝送が行われる。
【００４２】
なお、スッテプ２４において、オペレータがデータを「伝送しない」旨を選択すると、ステップ２６の値下げラベル発行処理業務に移る。
【００４３】
以上により、電源投入時にデータ伝送メモリに伝送データが格納されていた場合及び電源投入時にデータ伝送メモリに伝送データが格納されておらず、その後ラベルプリンタの値下げラベル発行処理によって伝送データが伝送データメモリ４６に格納された場合のホストコンピユータに対するデータ伝送が実現できる。
【００４４】
以上のように、本実施の形態によれば、旧価格及び新価格情報を商品分類毎に集計した中分類ラベル５０および大分類ラベル５４を発行可能としたから、売価変更伝票の処理作業時には、各ラベル５０，５４を帳票等に貼付すればよく、伝票への値下げ金額の記入、集計作業が不要となり、記入や集計のミスが解消され、作業の簡素化を図ることができる。
【００４５】
そして、値下げ処理を行いながら商品値下げに関する商品の情報管理を行うことができるので、例えば商品の値下げ予算をどの様に消化しているか各担当者が迅速且つ確実に把握することができ、不要な在庫の残らない、きめ細かい商品管理を行うことができる。
さらに、中分類ラベル５０と大分類ラベル５４からなる集計リストを発行することにより、値下げ処理に関するデータをホストコンピュータに伝送する際、通信障害等によるデータ消失があってもこのデータのバックアップとすることができる。
なお、上記実施の形態による説明は例示であってこれに限定するものではない。例えばデータの伝送処理（図１１）は必須のものではなく、集計リスト（中分類ラベル５０および大分類ラベル５４）の発行によって省略してもよい。
【００４６】
また、本発明における商品情報入力手段はペンスキャナ、タッチスキャナ、またはその他のバーコード読み取り装置であっても良く、本発明の商品情報入力手段としては、バーコード印字された商品情報を入力できる手段であれば何でも良い。
【００４７】
また、価格変更情報として定額値下げを例示したが、本発明はこれに限られることなく、旧価格より一定の率を値下げする％値下げ、旧価格に対し新たな値下げ価格を設定する新価格値下げであっても良く、更に、商品を廃棄処分する場合があり、この商品廃棄も本発明でいう価格変更情報に含まれるものとする。
【００４８】
さらに、ラベル２３への印字機構２０として剥離ピン２６の位置にて帯状台紙２２よりラベル２３が一枚ずつ剥離されるよう構成したが本発明はこれに限ることなく、ラベルが帯状台紙２２より剥離されることなく帯状台紙２２と共に連続してラベル発行口１８より発行されるように構成しても良く、その他の構成についても本発明の要旨を逸脱する事なく種々変更可能である。
【発明の効果】
以上詳述したとおり、本発明のラベルプリンタによれば、旧価格及び新価格情報を商品分類毎に集計した集計リストを発行可能としたから、売価変更伝票の処理作業時に、伝票への値下げ金額の記入、集計作業が不要となり、記入や集計のミスが解消され、作業の簡素化を図ることができる。
【００４９】
そして、値下げ処理を行いながら商品値下げに関する商品の情報管理を行うことができ、例えば商品の値下げ予算をどの様に消化しているか各担当者が迅速且つ確実に把握することができ、不要な在庫の残らない、きめ細かい商品管理を行うことができる。
【発明の効果】
以上詳述したとおり、本発明のラベルプリンタによれば、旧価格及び新価格情報を商品分類毎に集計した集計リストを発行可能としたから、売価変更伝票の処理作業時に、伝票への値下げ金額の記入、集計作業が不要となり、記入や集計のミスが解消され、作業の簡素化を図ることができる。
【００５０】
そして、値下げ処理を行いながら商品値下げに関する商品の情報管理を行うことができ、例えば商品の値下げ予算をどの様に消化しているか各担当者が迅速且つ確実に把握することができ、不要な在庫の残らない、きめ細かい商品管理を行うことができる。
【図面の簡単な説明】
【図１】本発明に係るラベルプリンタの外観を示す（Ａ）は正面からの（Ｂ）は背面からの斜視図である。
【図２】操作部の正面図である。
【図３】印字機構の概略図である。
【図４】制御部のブロック図である。
【図５】旧価格の表示されたラベルの正面図である。
【図６】新価格の表示されたラベルの正面図である。
【図７】新価格の表示されたラベルの正面図である。
【図８】値下げラベル発行処理に関わる装置部分のブロック図である。
【図９】値下げラベル発行処理の操作に係るフローチャートである。
【図１０】値下げ処理１件分の伝送データの構成を示す概念図である。
【図１１】伝送操作を示すフローチャートである。
【図１２】中分類ラベルを示す説明図である。
【図１３】大分類ラベルを示す説明図である。
【符号の説明】
３…  操作部、１５…スキャナ、２８…ＣＰＵ、３０…ＲＯＭ、３１…ＲＡＭ、４０…読み取りメモリ、４１…価格メモリ、４２…値下げ区分メモリ、４３…演算ワークメモリ、４４…演算結果メモリ、４５…バーコード生成メモリ、４６…伝送データメモリ、５０…中分類ラベル、５４…大分類ラベル
【図１】
2004351690.tif 000003
【図２】
2004351690.tif 000004
【図３】
2004351690.tif 000005
【図４】
2004351690.tif 000006
【図５】
2004351690.tif 000007
【図６】
2004351690.tif 000008
【図７】
2004351690.tif 000009
【図８】
2004351690.tif 000010
【図９】
2004351690.tif 000011
【図１０】
2004351690.tif 000012
【図１１】
2004351690.tif 000013
【図１２】
2004351690.tif 000014
【図１３】
2004351690.tif 000015